【事件の表示】
　平成１１年特許願第３１８４９３号「光ディスク記録再生装置のレーザー出力制御回路」拒絶査定不服審判事件〔平成１３年　５月１８日出願公開、特開２００１−１３４９７４〕について、次のとおり審決する。
【結　論】
　本件審判の請求は、成り立たない。
【理　由】
１．手続の経緯・本願発明
　本件審判の請求に係る特許出願（以下「本願」という。）は、平成１１年１１月９日に出願されたものであって、請求項１〜４に係る各発明は、平成１７年８月１日付けの手続補正書において全文補正された明細書及び図面の記載からみて、その特許請求の範囲の請求項１〜４に記載されたとおりのものと認められるところ、その請求項１に係る発明（以下「本願発明」という。）は、以下のとおりのものである。
　「【請求項１】　ディスクに設けられている試し書き領域へテスト信号を記録することによって信号記録規格に合った記録動作を行うことが出来るレーザー出力値を目標値として設定するように構成されているとともに記録動作状態にあるときレーザーダイオードから照射されるレーザー光から得られるモニター信号を使用してレーザー出力を前記目標値に維持するべく自動制御するレーザー制御回路を備えた光ディスク記録再生装置のレーザー出力制御回路であり、前記目標値の設定動作時前記レーザー制御回路の制御動作によりレーザー駆動回路に供給する記録出力を得るとともに前記目標値に基づいてレーザー制御回路から生成される記録出力を記録開始出力として記憶し、記録動作状態への切換動作が行われたとき、前記目標値設定時に設定された記録開始出力を前記レーザー制御回路を介することなく前記レーザー駆動回路に供給し、記録動作状態への切換後所定時間経過したとき前記レーザー制御回路から得られる信号を前記レーザー駆動回路に供給するようにしたことを特徴とする光ディスク記録再生装置のレーザー出力制御回路。」
　
２．刊行物及びその記載
　これに対し、原査定の理由に引用された実願平２−１０６６１１（実開平４−６２５１８）のマイクロフィルム（以下「刊行物」という。）には、「光パワーコントロール回路」に関する発明について、以下の記載がある。
　(2-1)「光ディスクに情報を書き込む光ビームのパワーを測定し、光ビームの出力が設定パワーになるように電圧制御型電流源の電圧を制御する制御部を有する光パワーコントロール回路であって、
　前記制御部が前記電圧制御型電流源に印加した電圧値をＡＤ変換するＡＤ変換器と、
　このＡＤ変換器でＡＤ変換されたデータを記憶するメモリと、
　このメモリに記憶されたデータをＤＡ変換して前記電圧制御型電流源に出力するＤＡ変換器と、
　このＤＡ変換器と前記制御部との電圧出力を前記電圧制御型電流源に切換えて与えるスイッチと、
　を設け、前記制御部が定常状態で印加した電圧をメモリで記憶しておき、書き込みの最初の出力としてＤＡ変換器から電圧制御型電流源に出力することを特徴とした光パワーコントロール回路。」（第１頁実用新案登録請求の範囲）
　(2-2)「＜産業上の利用分野＞　本考案は、光ディスクに情報を書き込む光ビームのパワーを制御する光パワーコントロール回路に関し、更に詳しくは、光ビームの書き初めのパワーを設定パワーと極めて小さな誤差で出力することができる光パワーコントロール回路に関する。」（第２頁第２〜７行）
　(2-3)「＜考案が解決しようとする課題＞　しかしながら、このような従来の光パワーコントロール回路は、初期設定電圧ＭＶｆが、レーザーダイオードの電流／パワー特性によって決められているために、初期設定電圧ＭＶｆで得られるパワーＰＶと設定パワーＳＰ値との誤差が大きい。
　このために、スイッチを制御部側に切換えてから光パワーが設定パワーを出力するまで長時間を要してしまう。
　本考案は、このような点に鑑みてなされたもので、光ビームが光ディスクに実際に定常的に書き込んでいる時のパワーから初期設定電圧ＭＶｆを設定するようにしたもので、初期設定電圧ＭＶｆで得られるパワーＰＶと設定パワーＳＰの差が小さく、短時間で光ビームが設定パワーＳＰになるようにした光パワーコントロール回路を提供することにある。」（第４頁第１〜１７行）
　(2-4)「＜ 実施例＞　以下図面を用いて、本考案の一実施例を詳細に説明する。
　第１図は、本考案の一実施例を示す光パワーコントロール回路の構成ブロック図である。図中、第１図と同一作用をするものは同一符号を付けて説明する。３０は制御部２０が電流源１１に印加する電圧値ＭＶｓをＡＤ変換するＡＤ変換器、３１はＡＤ変換器３０でＡＤ変換されたデータを記憶するメモリ、３２はＤＡ変換器で、ＤＡ変換したメモリ３１の電圧値ＭＶｓデータをスイッチ２２を介して電流源１１に出力する。
　３３はI／Ｏ ポート３４に接続されたループ制御論理回路で、最初の書き込みパルスＳ１を受け、ＣＰＵ３５の命令に基づいてスイッチ２２をＤＡ変換器３２から制御部２０側に切換える。
　これらＡＤ変換器３０、メモリ３１、ＤＡ変換器３２及びＩ／Ｏポート３４は、バス３６を介してＣＰＵ３５に接続されている。
　次にこのようにして構成された光パワーコントロール回路の動作について説明する。
　最初、スイッチ２２は、ＤＡ変換器３２側と接続されていて、ＤＡ変換器３２から初期設定電圧ＭＶｆが電流源１１に印加されるようにならている。
　尚、この初期設定電圧ＭＶｆは、レーザーダイオード１０ が光ディスクに実際の書き込みを行った時の定常状態の電圧値で、ＣＰＵ３５の命令によって、前もってＡＤ変換器３０を介してメモリ３１に記憶したものである。
　ＣＰＵ３５は、光ビームが新たに光ディスクに書き込みを行う時に、このデータをメモリ３１からＤ／Ａ変換器３２に設定する。
　最初の書込みパルスＳ１が電源スイッチ１２に入力されると、電流源１１は、初期設定電圧ＭＶｆで制御された電流をレーザーダイオード１０に出力する。
　ルーブ制御論理回路３３は、この最初の書き込みパルスＳ１を受け、ＣＰＵ３５の命令によってスイッチ２２を制御部２０側に切換える。
　一方、フォトダイオード２１は、このレーザーダイオード１０の光パワーに比例した電流Ｉを電流／電圧変換回路２３に出力する。
　電流／電圧変換回路２３は、この電流Ｉを電圧に変換するとともに増幅して包絡線検波回路２４に出力する。
　包絡線検波回路２４は、書き込みパルスＳ１毎に入力される電圧から包絡線を検出し、その出力ＰＶを減算回路２５に出力する。
　減算回路２５は、包絡線検波回路２４からの出力ＰＶと設定パワーＳＰ値を比較して減算し、出力電圧△Ｖを得る。
　減算回路２５は、初期設定電圧ＭＶｆで充電されているキャパシタ２７を電圧出力△Ｖに比例した速度で充電し、光ビームのパワーが設定パワーＰＶになるように制御する。」（第６頁第２行〜第８頁第１７行）
　(2-5)「＜考案の効果＞　以上詳細に説明したように、本考案の光パワーコントロール回路は、光ビームが光ディスクに実際に書き込みを行っている定常状態の電圧値を初期設定電圧としたものであるために、初期設定電圧で得られるパワーと設定パワーの差が小さく、短時間で光ビームが設定パワーになる。」（第８頁第１８行〜第９頁第４行）
　
　以上の記載を、第１図を参照して整理すると、刊行物には、以下の発明が記載されているものと認める。
　
　「光ディスクに情報を書き込むためにレーザーダイオードから照射される光ビームのパワーを測定し、光ビームの出力が設定パワーになるように制御する光パワーコントロール回路であって、
　外部から印加される電圧によって電流値が制御される電圧制御型の電流源と、
　書き込みパルスによって駆動され、入力される書き込みパルスに基づいて、電圧制御された電流源の電流をレーザーダイオードに出力する電流スイッチと、
　レーザーダイオードから照射された光ビームのパワーをモニタするフォトダイオードとフォトダイオードに流れた電流を電圧に変換するとともに、増幅して包路線検波回路に出力する電流／電圧変換回路と包路線検波回路の出力と設定パワー値を比較して減算する減算回路を有し、減算回路の出力電圧でレーザーダイオードのパワーを設定パワーになるように制御する制御部と、
　レーザーダイオードが光ディスクに実際の書き込みを行った時、制御部が電流源に定常状態で印加した電圧値を前もって初期設定電圧として記憶するメモリと、
　書き込みを行うとき、最初、メモリから出力される初期設定電圧側にあって、初期設定電圧を電流源に印加し、最初の書き込みパルスが電流スイッチに入力されると、電流源は、初期設定電圧で制御された電流をレーザーダイオードに出力し、最初の書き込みパルスを受けると減算回路の出力電圧側に切換えるスイッチと、
を備えた光パワーコントロール回路。」
　
　３．対比・判断
　(3-1)対比
　本願発明と刊行物記載の発明を対比する。
　 (i)いずれの発明も、光記録動作状態にあるときレーザーダイオードから照射されるレーザー光から得られるモニター信号を使用してレーザー出力を目標値に維持するべく自動制御するものであって、ディスクへの記録時に、短時間でレーザー出力が所定の目標値に達するようにする点で共通する。
　 (ii)刊行物記載の発明における「電圧制御型の電流源」「制御部」は、本願発明の「レーザー駆動回路」「レーザー制御回路」に相当する。
　 (iii)刊行物記載の発明における「設定パワー値」及び「初期設定電圧」は、いずれも、光ディスクの信号記録規格にあった記録動作ができるレーザー出力値に相当するものであることは自明であり、それぞれ、本願発明における「目標値」「記録開始出力」に相当する。
　しかも、刊行物記載の発明における「初期設定電圧」は、レーザーダイオードが光ディスクに実際の書き込みを行った時、制御部が電流源に定常状態で印加した電圧値を初期設定電圧として、前もってメモリに記憶されたものであり、電流源に印加される電圧値は、所定の目標値に基づく制御動作における制御部の出力に他ならず、その記憶時期はともかく、本願発明においての、「目標値に基づいてレーザー制御回路から生成される記録出力を記録開始出力として記憶」しておくことと相違するものではない。
　 (iv)刊行物記載の発明の初期設定電圧の出力の時期及び出力態様について検討する。
　刊行物記載の発明では、「書き込みを行うとき、最初、メモリから出力される初期設定電圧側にあって、初期設定電圧を電流源に印加し、最初の書き込みパルスが電流スイッチに入力されると、電流源は、初期設定電圧で制御された電流をレーザーダイオードに出力し」としており、記録動作のとき、最初に電流源に印加される初期設定電圧は、制御部を介すことなく、電流源に供給しているものであり、本願発明においての、「記録動作状態へ動作が行なわれたとき、記録開始出力を前記レーザー制御回路を介することなく前記レーザー駆動回路に供給し」ていることと相違するものではない。
　
　以上のとおりであるから、本願発明と刊行物記載の発明との一致点と相違点は、以下のとおりと認められる。
　
　〔一致点〕
　「信号記録規格に合った記録動作を行うことが出来るレーザー出力値を目標値として設定するように構成されているとともに記録動作状態にあるときレーザーダイオードから照射されるレーザー光から得られるモニター信号を使用してレーザー出力を前記目標値に維持するべく自動制御するレーザー制御回路を備えた光ディスク記録再生装置のレーザー出力制御回路であり、
　前記レーザー制御回路の制御動作によりレーザー駆動回路に供給する記録出力を得るとともに前記目標値に基づいてレーザー制御回路から生成される記録出力を記録開始出力として記憶し、記録動作状態への切換動作が行われたとき、記録開始出力を前記レーザー制御回路を介することなく前記レーザー駆動回路に供給し、記録動作状態へ切換えてから前記レーザー制御回路から得られる信号を前記レーザー駆動回路に供給するようにしたことを特徴とする光ディスク記録再生装置のレーザー出力制御回路。」
　
　〔相違点〕
　(a)記録動作時のレーザー出力値の目標値の設定動作及び記録開始出力の記憶時期について、本願発明では、ディスク上の試し書き領域へのテスト信号の記録によってレーザー出力の目標値を設定し、その目標値設定動作時の記録出力を記録開始出力として記憶しているのに対して、刊行物記載の発明では、設定パワー値についての設定動作は不明で、初期設定電圧については、実際の書き込みを行った時に、制御部が電流源に定常状態で印加した電圧値、即ち、定常状態での制御部の出力を記憶している点。
　(b)レーザー制御回路からの信号をレーザー駆動回路に供給するタイミングについて、本願発明では、記録動作状態への「切換後所定時間経過したとき」としているのに対して、刊行物記載の発明では、最初の書き込みパルスを受けたときである点。
　
　(3-2)判断
　各相違点について検討する。
　［相違点(a)について］
　光ディスク装置において、記録レーザー出力の適正値（信号の記録規格にあった記録動作を行なうことができるレーザー出力値であることは自明である）を設定する動作として、光ディスク上の試し書き領域におけるテスト信号の記録によって適正値を得、得た適正値を記録又は記憶し、以後の記録動作時の目標値として設定することは、極く周知の設定動作である（この点は本願明細書にも例示されている事項であるし、必要あれば、特開平８−１２４１６５号公報，特開平７−５７２６７号公報等を参照）。
　したがって、刊行物記載の発明において、設定パワー値及び初期設定電圧は、いずれも、光ディスクに情報を書き込むための光ビーム出力の適正値に対応するものであり、設定パワー値を設定するのに、上記周知の設定動作を採用するとともに、この設定動作時の制御部の出力を初期設定電圧として記憶し、上記相違点(a)のように構成していくことは当業者が格別の発明力を要すことなく、適宜容易になし得るものと認める。
　
　［相違点(b)について］
　フィードバック制御において、フィードバック制御の制御動作前に、制御対象を目標値近傍で駆動し得る操作量で制御対象を駆動する開ループ制御で、所定時間制御し、その後、制御量と目標値の偏差で制御対象を駆動するフィーバック制御に移行することは、ごく周知の構成である（必要あれば、特開昭６２−１５４００２号公報，実願昭６２−１７０２１４（実開平１−７６６０２）のマイクロフィルム等を参照）。
　したがって、刊行物記載の発明において、書き込み動作への移行時に、初期設定電圧によるレーザーダイオード駆動から、設定パワーを目標値とするフィードバック制御部への切り換え動作を所定時間経過後として、上記相違点(b)のように構成していくことは、制御系及び制御対象の特性に応じて、格別の発明力を要すことなく、適宜に選択採用し得るものと認める。
　
　結局、本願発明は、刊行物記載の発明に基づいて、当業者が容易に発明をすることができたものと認める。
　
４．むすび
　以上のとおりであるから、請求項１に係る発明は、特許法第２９条第２項の規定により特許を受けることができない。
　したがって、本願は、その余の請求項について論及するまでもなく、拒絶すべきものである。
　
　よって、結論のとおり審決する。